(57)【要約】【課題】複数の世帯が一つの建物で生活する際に、各世帯のプライバシーを十分に確保すると共に、容易にコミュニケーションが図れる建物を提供する。【解決手段】少なくとも二階以上の階層を有すると共に、複数の世帯がそれぞれ専用に使用する複数の専用空間Ａ、Ｂと、複数の世帯が共同で使用し且つ複数の専用空間Ａ、Ｂにそれぞれ連通した共用空間Ｃとを備え、専用空間Ａ、Ｂと共用空間Ｃとを異なる階層に設けた。【選択図】　　図１
2004108101.tif 000002
【特許請求の範囲】
【請求項１】
少なくとも二階以上の階層を有し、複数の世帯がそれぞれ専用に使用する複数の専用空間と、前記複数の世帯が共同で使用し且つ前記複数の専用空間にそれぞれ連通した共用空間とを備え、前記専用空間と前記共用空間とが異なる階層に設けられたことを特徴とする建物。
【請求項２】
請求項１に記載の建物において、前記階層のうち、最上階に位置する最上階層は前記共用空間にされ、前記最上階層よりも下に位置する下層階層は前記複数の専用空間に分割されたことを特徴とする建物。
【請求項３】
請求項２に記載の建物において、前記最上階層には、屋外に開放した屋上部が設けられたことを特徴とする建物。
【請求項４】
請求項２に記載の建物において、前記最上階層には、屋外から隔離された居室部と、該居室部に連通し且つ前記屋外に開放した屋上部とが設けられたことを特徴とする建物。
【請求項５】
少なくとも二階以上の階層を有し、該階層のうち、最上階に位置する最上階層には、屋外から隔離された居室部と、該居室部に連通し且つ前記屋外に開放した屋上部とが設けられ、
前記居室部と前記最上階層の下に位置する下層階層とは、吹抜け空間を介して連通され、
該吹抜け空間には、前記居室部と前記下層階層との間を昇降するための昇降手段が設けられたことを特徴とする建物。
【請求項６】
請求項５に記載の建物において、前記居室部は子供が起居するための子供部屋にされ、前記屋上部は前記子供が遊ぶことのできる遊戯空間にされたことを特徴とする建物。
【発明の詳細な説明】
【０００１】
【発明の属する技術分野】
この発明は、少なくとも二階以上の階層を有する建物に関するものである。
【０００２】
【従来の技術】
従来の少なくとも二階以上の階層を有する建物として、複数の世帯が入居することができるように、各階層ごとに、複数の世帯がそれぞれ専用に使用する複数の専用空間と、この複数の世帯が共同で使用する共用空間とが、それぞれ設けられたものが知られている。
【０００３】
そして、同一階層に設けられた専用空間同士は、これらの専用空間と同一階層に設けられた共用空間を介して互いに連通している（例えば、特許文献１ないし３参照。）
【０００４】
また、上述以外の少なくとも二階以上の階層を有する建物としては、居間や台所等が設けられた階層と異なる階層に、子供が起居するための居室空間である子供部屋が独立して設けられたものがある。そして、この居間等と子供部屋との間のような、異なる階層間でコミュニケーションを図るために、これらの階層間に吹抜け空間が設けられ、この吹抜け空間を介して異なる階層が連通されたものも知られている（例えば、特許文献４および５参照）。
【０００５】
【特許文献１】
特開平１０−２９２６４７号公報
【特許文献２】
特開平１１−３６６３０号公報
【特許文献３】
特開２０００−１６０８４７号公報
【特許文献４】
特開平１０−２４６０１３号公報
【特許文献５】
特開平７−３４６７９号公報
【０００６】
【発明が解決しようとする課題】
しかしながら、上述の複数の世帯が入居できる建物では、同一階層に設けられた専用空間同士が同一階層に設けられた共用空間を介して連通しているため、同一階層にある専用空間同士を、完全に分離することができていなかった。そして、各世帯のプライバシーを十分に確保することが困難になるという問題が生じていた。
【０００７】
また、上記以外の建物において、子供を独立した子供部屋で遊ばせると、子供と異なる階層にいる親の目が届きにくく、特に小さな子供では思わぬ事故が起こる場合があった。一方、子供を居間や台所、リビング・ダイニング等の親から見える範囲で遊ばせる場合では、居間等が乱雑に散らかされてしまい、急な来客があった際に散らかった部屋を見られてしまうという問題があった。
【０００８】
さらに、親がいる階層と異なる階層で子供を遊ばせながら、吹抜け空間を介して親が見守ることができる場合であっても、子供が子供部屋で遊ぶことに飽きた際、居間等に入り込んで散らかされることがあった。
【０００９】
この発明は、上記問題に鑑みてなされたものであり、第一の目的は、複数の世帯が一つの建物で生活する際に、各世帯のプライバシーを十分に確保すると共に、容易にコミュニケーションが図れる建物を提供することである。
【００１０】
また、第二の目的は、他人に散らかった部屋を見られることなく、異なる階層間で互いの様子を見ることができると共に、下の階層から屋外に開放された屋上部に出ることができる建物を提供することである。
【００１１】
【課題を解決するための手段】
上記課題を解決するために、請求項１にかかるこの発明の建物は、少なくとも二階以上の階層を有すると共に、複数の世帯がそれぞれ専用に使用する複数の専用空間と、複数の世帯が共同で使用し且つ複数の専用空間にそれぞれ連通した共用空間とを備え、専用空間と共用空間とが異なる階層に設けられたことを特徴としている。
【００１２】
請求項１の発明によれば、共用空間から異なる階層に設けられた専用空間の状態を窺うことが困難になり、各世帯のプライバシーを十分に確保することが可能となる。また、共用空間を介して世帯同士のコミュニケーションを容易に図ることができる。
【００１３】
請求項２にかかる発明は、請求項１に記載の建物において、階層のうち、最上階に位置する最上階層は共用空間にされ、最上階層よりも下に位置する下層階層は複数の専用空間に分割されたことを特徴としている。
【００１４】
請求項２の発明によれば、請求項１の効果に加え、最上階層の直下に位置する下層階層に設けられた専用空間のみが、最上階層に設けられた共用空間と連通し、プライバシーの確保をさらに十分にすることができる。
【００１５】
請求項３にかかる発明は、請求項２に記載の建物において、最上階層には、屋外に開放した屋上部が設けられたことを特徴としている。
【００１６】
請求項３の発明によれば、請求項２の効果に加え、共用空間が屋外に開放された屋上部となって、この共用空間の雰囲気が開放的になり、より円滑に世帯同士のコミュニケーションを図ることができる。
【００１７】
請求項４にかかる発明は、請求項２に記載の建物において、最上階層には、屋外から隔離された居室部と、この居室部に連通し且つ屋外に開放した屋上部とが設けられたことを特徴としている。
【００１８】
請求項４の発明によれば、請求項２の効果に加え、屋外に開放した屋上部と屋外から隔離された居室部との両方を共用空間として利用することができ、世帯同士のコミュニケーションを図る方法が広がって、より円滑にコミュニケーションを図ることが可能となる。
【００１９】
請求項５にかかるこの発明の建物は、少なくとも二階以上の階層を有し、この階層のうち最上階に位置する最上階層には、屋外から隔離された居室部と、この居室部に連通し且つ屋外に開放した屋上部とが設けられ、居室部と最上階層の下に位置する下層階層とは、吹抜け空間を介して連通され、この吹抜け空間には居室部と下層階層との間を昇降するための昇降手段が設けられたことを特徴としている。
【００２０】
請求項５の発明によれば、異なる階層に設けられた居室部と下層階層との間で、吹抜け空間を介して互いの様子を十分に見ることができる。そのため、子供の様子を見守りながら、最上階層で子供を遊ばせることができて、他人に散らかった部屋を見られることがなくなる。
【００２１】
そして、子供が居室部で遊ぶことに飽きたときには、居室部から屋外に開放した屋上部に移動して遊ぶことができ、遊びの範囲を拡大することができる。そのため、下層階層を散らかされることがなくなる。また、そのときにも子供の様子を見守ることができる。
【００２２】
請求項６にかかる発明は、請求項５に記載の建物において、居室部は子供が起居するための子供部屋にされ、屋上部は子供が遊ぶことができる遊戯空間にされたことを特徴としている。
【００２３】
請求項６の発明によれば、請求項５の効果に加え、居室部で子供を遊ばせながら、吹抜け空間を介して下層階層から親が子供の様子を見守ることが可能となり、安心して子供を遊ばせることができる。
【００２４】
また、子供が子供部屋で遊ぶことに飽きても屋外に開放した屋上部で遊ぶことができて、居間等に入り込んで散らかされることがない。
【００２５】
【発明の実施の形態１】
以下、図面に基づいてこの発明の実施の形態１を説明する。
【００２６】
図１に示す建物１０は、３階層を有する三階建ての多世帯住宅である。なお、「多世帯住宅」とは、１つの世帯が独立して居住するための居住区画（住戸）を複数有する独立住宅を意味する。また、「居住区画」とは、玄関、廊下、階段等の通路、居間、食事室、台所（又は居間、食事室、台所のうち２以上を兼用とした室）、寝室、書斎、応接室、子供部屋等の居室、風呂、トイレ、洗面所等の給排水設備、バルコニー、縁側、庭、車庫等の空間のうちの全部又は一部を備えているものとする。そして、複数の居住区画において、各種の通路、居室、給排水設備等のうちの１つ以上が複数の世帯間で共用になっていてもよいものとする。
【００２７】
そして、図２に示すような間取りの最上階層よりも下に位置する下層階層である一階部分１１は、境界壁１２によって左右に隣接する第１居住区画２０と、第２居住区画３０とに分割されている。
【００２８】
図２において左側に位置する第１居住区画２０は、片開き戸や引き戸等によって区画された玄関２１、玄関ホール２２、廊下２３、第１寝室２４、第２寝室２５、トイレ２６、浴室２７、洗面所２８等を備えている。この玄関２１等は、片開き戸や引き戸等を介して互いに連通されている。
【００２９】
一方、図２において右側に位置する第２居住区画３０は、片開き戸や引き戸等によって区画された玄関３１、玄関ホール３２、台所３３、リビング・ダイニング３４、トイレ３５等を備えている。この玄関３１等は、片開き戸等を介して互いに連通されている。
【００３０】
また、図３に示すような間取りの最上階層よりも下に位置する下層階層である二階部分１３は、境界壁１４によって、左右に隣接する第３居住区画４０と、第４居住区画５０とに分割されている。
【００３１】
図３において左側に位置する第３居住区画４０は、片開き戸や引き戸等によって区画された台所４１、リビング・ダイニング４２、トイレ４３、バルコニー４４等を備えている。この台所４１等は、片開き戸や引き戸等を介して互いに連通されている。また、バルコニー４４は屋外に開放されている。
【００３２】
一方、図３において右側に位置する第４居住区画５０は、片開き戸や引き戸等によって区画された寝室５１、トイレ５２、浴室５３、洗面所５４、バルコニー５５等を備えている。この寝室５１等は、片開き戸や引き戸等を介して互いに連通されている。また、バルコニー５５は屋外に開放されている。
【００３３】
そして、第１居住区画２０と第３居住区画４０とは、この第１、第３居住区画２０、４０のほぼ中央に設けられた階段Ｋ１によって連通されている。
【００３４】
また、第２居住区画３０と第４居住区画５０とは、この第２、第４居住区画３０、５０の角に設けられた階段Ｋ２によって連通されている。
【００３５】
なお、図中「ＵＰ」とは、矢印の方向に向かって上昇することを示し、「ＤＮ」とは、矢印の方向に向かって下降することを示す。
【００３６】
そして、最上階に位置する最上階層である３階部分１５には、図４に示すように、屋外に開放した屋上部６０と、屋外から隔離された居室部６１とが設けられている。
【００３７】
屋上部６０は、周縁部が所定高さの手摺６０ａ（図１参照）で囲われている。そして、この屋上部６０は、第３居住区画４０のバルコニー４４に設けられた屋外階段Ｋ３によって、このバルコニー４４と連通している。
【００３８】
居室部６１は、壁６１ａ及び屋根６１ｂによって囲われており（図１参照）、この壁６１ａによって屋上部６０と区画されている。また、屋上部６０と居室部６１の内部とは、壁６１ａに設けられた引き戸６２を介して連通されている。
【００３９】
そして、第４居住区画５０に設けられた階段Ｋ２が上方に延在され、この階段Ｋ２によって、居室部６１の内部と第４居住区画５０とが連通されている。
【００４０】
そして、第１、第３居住区画２０、４０は一方の世帯、例えば子世帯によって専用に使用される第１専用空間Ａにされ、第２、第４居住区画３０、５０は、他方の世帯、例えば親世帯によって専用に使用される第２専用空間Ｂにされている。
【００４１】
さらに、屋上部６０及び居室部６１は、親世帯と子世帯との両世帯によって共同で使用される共用空間Ｃにされている。
【００４２】
このように、この建物１０は、下層階層である一階部分１１及び二階部分１３がそれぞれ第１専用空間Ａと第２専用空間Ｂとに分割され、これらの第１、第２専用空間Ａ、Ｂの上に設けられた最上階層である三階部分１５が、屋上部６０及び居室部６１が設けられた共用空間Ｃにされている。
【００４３】
次に、この建物１０の作用を説明する。
【００４４】
この建物１０において、二つの世帯が生活するには、一方の世帯である子世帯が第１専用空間Ａを専用に使用し、他方の世帯である親世帯が第２専用空間Ｂを専用に使用する。そして、屋上部６０及び居室部６１が設けられた共用空間Ｃを、両世帯が共同で使用する。
【００４５】
このとき、一階部分１１及び二階部分１３において、それぞれ境界壁１２、１４によって第１、第２専用空間Ａ、Ｂに分割されており、同一階層にある専用空間同士は完全に分離され、各世帯のプライバシーを確保することが可能となる。
【００４６】
また、二つの世帯が共同で使用する共用空間Ｃは、第１、第２専用空間Ａ、Ｂの上に位置する最上階層である三階部分１５に設けられており、この共用空間Ｃから屋外階段Ｋ３や階段Ｋ２を介して第１、第２専用空間Ａ、Ｂの様子を窺うことが困難になっている。
【００４７】
そのため、各世帯のプライバシーを共用空間Ｃから窺うことができず、各世帯のプライバシーを十分に確保することができる。
【００４８】
一方、世帯同士のコミュニケーションは、第１、第２専用空間Ａ、Ｂとそれぞれ連通されている共用空間Ｃを介して容易に図ることができる。
【００４９】
このように、この発明の実施の形態１にかかる建物１０は、少なくとも二階以上の階層を有すると共に、複数の世帯がそれぞれ専用に使用する複数の専用空間Ａ、Ｂと、複数の世帯が共同で使用し且つ複数の専用空間Ａ、Ｂにそれぞれ連通した共用空間Ｃとを備え、専用空間Ａ、Ｂと共用空間Ｃとが異なる階層に設けられた構成を有している。
【００５０】
この構成により、共用空間Ｃから異なる階層に設けられた専用空間Ａ、Ｂの状態を窺うことが困難になり、各世帯のプライバシーを十分に確保することが可能となる。また、共用空間Ｃを介して世帯同士のコミュニケーションを容易に図ることができる。
【００５１】
また、共用空間Ｃに連通しているのは、第１、第２専用空間Ａ、Ｂのうち、二階部分１３に設けられた第３居住区画４０及び第４居住区画５０である。そのため、各専用空間のうち最上階層の直下に位置する下層階層のみが共用空間Ｃと連通しており、プライバシーの確保をさらに十分に図ることが可能となる。
【００５２】
そして、共用空間Ｃは、屋外に開放した屋上部６０と、屋外から隔離された居室部６１とを有しているので、屋外及び屋内の両方の空間を様々に利用し、世帯同士のコミュニケーションを図る方法が拡大して、円滑にコミュニケーションを図ることができる。さらに、屋上部６０では、開放した雰囲気の中で世帯同士のコミュニケーションを図ることができて、より円滑にコミュニケーションを図ることができる。
【００５３】
以上、この発明の実施の形態１を図面により詳述してきたが、具体的な構成は上述の実施の形態に限らず、この発明の要旨を逸脱しない範囲の設計の変更等があってもこの発明に含まれる。
【００５４】
例えば、上述の建物１０では、最上階層である三階部分１５に屋上部６０及び居室部６１が設けられているが、この三階部分１５に屋上部６０を設けず、居室部６１のみが設けられていてもよい。
【００５５】
また、三階部分１５に居室部６１を設けず、屋上部６０のみが設けられていてもよい。この場合、屋外に開放している共用空間Ｃの雰囲気が開放的になり、より円滑に世帯同士のコミュニケーションを図ることができる。
【００５６】
さらに、ここでは、第１専用空間Ａと共用空間Ｃの屋上部６０とが屋外階段Ｋ３によって連通され、第２専用空間Ｂと共用空間Ｃの居室部６１とが屋内に設けられた階段Ｋ２によって連通されている。
【００５７】
しかし、第１、第２専用空間Ａ、Ｂの両方が、屋外階段によって共用空間Ｃの屋上部６０に連通されていてもよい。また、第１、第２専用空間Ａ、Ｂの両方が、屋内に設けられた階段によって共用空間Ｃの居室部６１に連通されていてもよい。
【００５８】
【発明の実施の形態２】
以下、図面に基づいてこの発明の実施の形態２を説明する。
【００５９】
図５に示す建物１００は、３階層を有する三階建ての住宅である。
【００６０】
そして、図６に示すような間取りの１階部分１１０は、片開き戸や引き戸等によって区画された玄関１１１、寝室１１２、ウォークインクローゼット１１３、和室１１４、トイレ１１５、洗面所１１６、浴室１１７等を備えている。この玄関１１１等は片開き戸や引き戸等を介して互いに連通されている。
【００６１】
なお、１１８は自動車を駐車しておくための、屋外に開放した駐車スペースである。
【００６２】
また、図７に示すような間取りの最上階層の下に位置する下層階層である２階部分１２０は、片開き戸や引き戸等によって区画された台所１２１、リビング・ダイニング１２２、納戸１２３、多目的部屋１２４、１２５、階段ホール１２６等を備えている。この台所１２１等は片開き戸や引き戸等を介して互いに連通されている。
【００６３】
そして、この１階部分１１０と２階部分１２０とは、各階層の角部に設けられた階段Ｋ４によって連通されている。
【００６４】
さらに、図８に示すように、最上階に位置する最上階層である３階部分には、屋外に開放した屋上部１３０と、屋外から隔離された居室部１３１とが設けられている。
【００６５】
屋上部１３０は、周縁部が所定高さの手摺１３０ａ（図５参照）によって囲われている。そして、この屋上部１３０は、引き戸１３２によって居室部１３１と区画されると共に、この引き戸１３２を介して居室部１３１と連通されている。また、屋上部１３０と後述する吹抜け空間Ｆとを区画する壁面には、ガラスが嵌め込まれた窓１３３が設けられている。そのため、最上階層に設けられた屋上部１３０と、下層階層に設けられたリビング・ダイニング１２２とは吹抜け空間Ｆを介して連通されている。
【００６６】
居室部１３１は、２階部分１２０の台所１２１の上方に位置し、壁１３１ａ及び屋根１３１ｂによって囲われている。そして、この居室部１３１に隣接して、最上階層の上面が抜けている吹抜け空間Ｆが設けられている。また、居室部１３１の吹抜け空間Ｆに面した壁面には、ガラスが嵌め込まれた窓１３４が設けられている。
【００６７】
吹抜け空間Ｆは、リビング・ダイニング１２２の上方に位置している。そして、最上階層に設けられた居室部１３１と、下層階層に設けられたリビング・ダイニング１２２とは、吹抜け空間Ｆを介して連通されている。
【００６８】
さらに、この吹抜け空間Ｆには、リビング・ダイニング１２２と居室部１３１との間を昇降するための昇降手段である階段Ｋ５が設けられている。
【００６９】
また、吹抜け空間Ｆと最上階層を覆う屋根部１３５とを区画する壁面には、ガラスが嵌め込まれた窓１３６が設けられている。
【００７０】
次に、この建物１００の作用について説明する。
【００７１】
この建物１００において、居室部１３１内の様子は、吹抜け空間Ｆを介して下層階層に設けられたリビング・ダイニング１２２から見ることができる。特に、ここでは、吹抜け空間Ｆに面した居室部１３１の壁面に、ガラスが嵌め込まれた窓１３４が設けられており、この窓１３４を通して、居室部１３１内の様子を非常に良く見ることができる。なお、吹抜け空間Ｆに面した居室部１３１の壁面全てをガラス張りにしてもよい。
【００７２】
また、下層階層に設けられたリビング・ダイニング１２２内の様子も、居室部１３１から吹抜け空間Ｆを介して見ることができる。
【００７３】
このように、居室部１３１と、下層階層に設けられたリビング・ダイニング１２２との間において、吹抜け空間Ｆを介して互いの様子を見ることができる。
【００７４】
そして、居室部１３１を子供が起居するための子供部屋とし、屋上部１３０を子供が遊ぶことができる遊戯空間とした場合、居室部１３１内で子供だけが遊び、親がリビング・ダイニング１２２にいるようになる。
【００７５】
このとき、リビング・ダイニング１２２にいる親は、吹抜け空間Ｆを介して子供が遊んでいる様子を見ることができる。そのため、小さな子供であっても安心して遊ばせることができる。
【００７６】
一方、来客時に応接室としてリビング・ダイニング１２２を利用しても、このリビング・ダイニング１２２に子供が入り込んで遊ぶことがないので、リビング・ダイニング１２２が散らかることがなく、来客に散らかった部屋を見られることを防止できる。
【００７７】
そして、居室部１３１で遊んでいた子供が飽きたときには、この居室部１３１に連通した屋上部１３０に出て、この屋上部１３０で遊ぶことができる。そのため、遊びの範囲が拡大して、下層階層に設けられたリビング・ダイニング１２２に入り込んで散らかすことがなくなる。
【００７８】
また、子供が屋上部１３０で遊んでいても、吹抜け空間Ｆを介してリビング・ダイニング１２２にいる親が見守ることができ、安心して遊ばせることができる。特に、屋上部１３０と吹抜け空間Ｆとを区画する壁面には、ガラスが嵌め込まれた窓１３３が設けられ、この窓１３３を通して屋上部１３０の様子が非常に良く見えると共に、十分な採光を得ることもできる。
【００７９】
また、吹抜け空間Ｆと最上階層を覆う屋根部１３５とを区画する壁面に設けられた窓１３６によっても、十分な採光を得ることができる。
【００８０】
さらに、将来的には、吹抜け空間Ｆの部分に増床すると共に、周囲に壁を設け、独立した部屋にすることもできる。
【００８１】
このように、この建物１００は、少なくとも二階以上の階層を有し、この階層のうち最上階に位置する最上階層には、屋外に開放した屋上部１３０と、この屋上部１３０に連通すると共に屋外から隔離された居室部１３１とが設けられ、居室部１３１と最上階層の下に位置する下層階層とは吹抜け空間Ｆを介して連通され、この吹抜け空間Ｆには居室部１３１と下層階層との間を昇降するための昇降手段Ｋ５が設けられた構成を有している。
【００８２】
この構成により、異なる階層に設けられた居室部１３１と下層階層との間で、吹抜け空間Ｆを介して互いの様子を十分に見ることができる。そのため、子供の様子を見守りながら、最上階層で子供を遊ばせることができて、他人に散らかった部屋を見られることがなくなる。
【００８３】
そして、子供が子供部屋である居室部１３１で遊ぶことに飽きたときには、居室部１３１から屋外に開放した遊戯空間である屋上部１３０に移動して遊ぶことができ、遊びの範囲を拡大することができる。そのため、下層階層を散らかされることがなくなる。
【００８４】
以上、この発明の実施の形態２を図面により詳述してきたが、具体的な構成は上述の実施の形態に限らず、この発明の要旨を逸脱しない範囲の設計の変更等があってもこの発明に含まれる。
【００８５】
例えば、吹抜け空間Ｆに設ける昇降手段として階段Ｋ５が設けられているが、小型のエレベータであってもよい。
【００８６】
また、上述の建物１００では居室部１３１が子供部屋にされているが、介護を必要とする高齢者等が起居する部屋にしてもよい。
【００８７】
この場合、介護者が下層階層に設けられたリビング・ダイニング１２２にいても、吹抜け空間Ｆを介して高齢者等の様子を見守ることができ、介護者は安心して家事等を行うことができる。
【００８８】
そして、居室部１３１が屋上部１３０に連通しているために、高齢者等は開放された明るい雰囲気の中で生活することができ、身体や精神に好影響を与えることもできる。
【００８９】
【発明の効果】
この発明の請求項１ないし請求項４によれば、複数の世帯が一つの建物で生活する際に、各世帯のプライバシーを十分に確保すると共に、容易にコミュニケーションが図れる建物を提供することができる。
【００９０】
また、この発明の請求項５及び請求項６によれば、他人に散らかった部屋を見られることなく、異なる階層間で互いの様子を見ることができると共に、下の階層から屋外に開放された屋上部に出ることができる建物を提供することができる。
【図面の簡単な説明】
【図１】この発明の実施の形態１にかかる建物の外観を示す斜視図である。
【図２】この発明の実施の形態１にかかる建物の１階部分を示す間取り図である。
【図３】この発明の実施の形態１にかかる建物の２階部分を示す間取り図である。
【図４】この発明の実施の形態１にかかる建物の最上階層を示す間取り図である。
【図５】この発明の実施の形態２にかかる建物の外観を示す斜視図である。
【図６】この発明の実施の形態２にかかる建物の１階部分を示す間取り図である。
【図７】この発明の実施の形態２にかかる建物の２階部分を示す間取り図である。
【図８】この発明の実施の形態２にかかる建物の最上階層を示す間取り図である。
【符号の説明】
１０　　　　　　　建物
１１　　　　　　　１階部分（下層階層）
１２　　　　　　　境界壁
１３　　　　　　　２階部分（下層階層）
１４　　　　　　　境界壁
１５　　　　　　　三階部分（最上階層）
６０　　　　　　　屋上部
６１　　　　　　　居室部
Ａ　　　　　　　　第１専用空間
Ｂ　　　　　　　　第２専用空間
Ｃ　　　　　　　　共用空間
【図１】
2004108101.tif 000003
【図２】
2004108101.tif 000004
【図３】
2004108101.tif 000005
【図４】
2004108101.tif 000006
【図５】
2004108101.tif 000007
【図６】
2004108101.tif 000008
【図７】
2004108101.tif 000009
【図８】
2004108101.tif 000010